(57)【特許請求の範囲】
【請求項１】
フレーム（１）の前面（２）の伸長部である横ラグ（３）にしっかりと接続されることを意図され、かつ、第１締結具（１２，４０）を備える前面要素（１０）と、
前記フレーム（１）の対応するテンプル（５）にしっかりと接続されることを意図され、かつ、前記前面要素（１０）をテンプル要素（２０）に対して保持するように、第１締結具（１２，４０）と中間締結具（３０）を介して連結されることができる第２締結具（２５）を備えるテンプル要素（２０）と、を備える眼鏡フレーム（１）用伸縮式ヒンジ（７）であって、
前記第１締結具（１２，４０）および前記第２締結具（２５）の両方と組み合うことができる前記中間締結具（３０）を更に備え、
前記テンプル要素（２０）にはスライダー（２３）が備えられ、前記第２締結具（２５）が前記スライダー（２３）の伸長部を形成し、前記スライダー（２３）は、前記前面要素（１０）の前記第１締結具（１２，４０）に、前記第２締結具（２５）及び前記中間締結具（３０）を介して接続され、かつ、ばね（２４）の作用に対しておよびそのもとでスライドするように構成され、
前記中間締結具（３０）が少なくとも１つの穴（３２）を備え、第２締結具（２５）は前記穴（３２）に挿入可能なフックの形状をなす、眼鏡フレーム（１）用伸縮式ヒンジ（７）。
【請求項２】
中間締結具が少なくとも１つの穴（３４）を備えているので、第１締結具（１２，４０）は、前記中間締結具（３０）の穴（３４）と重なり合い、かつ、保持要素（４０）の作用のもとで前記穴に接触して保持することができる穴（１２）を備える、請求項１に記載の伸縮式ヒンジ。
【請求項３】
保持要素（４０）がねじ切りされ（ｔｈｒｅａｄｅｄ）、かつ、中間締結具（３０）の穴（３４）が少なくとも部分的にねじ切りされる（ｔａｐｐｅｄ）ことにより、ねじ込みによって互いに組み合うことができる、請求項２に記載の伸縮式ヒンジ。
【請求項４】
保持要素（４０）のねじ切り部分（４１）が、前記穴（３４）に対して非垂直に中間締結具（３０）の穴（３４）に導入可能であるように構成される、請求項３に記載の伸縮式ヒンジ。
【請求項５】
中間締結具（３０）が、第１締結具（１２，４０）および第２締結具（２５）それぞれと組み合い可能な２つの穴（３２，３４）を備える、請求項１に記載の伸縮式ヒンジ。
【請求項６】
中間締結具（３０）の穴（３２，３４）が隣接し、かつ、連通している、請求項５に記載の伸縮式ヒンジ。
【請求項７】
中間締結具（３０）が、穴（３２，３４）を画定する２つの環状部分（３１Ａ，３１Ｂ）を備える一体部（３１）の形状をなす、請求項５または６に記載の伸縮式ヒンジ。
【請求項８】
２つの横ラグ（３，４）によって伸長される前面（２）と、２つのヒンジ（７，８）の旋回軸を中心として横ラグ（３，４）に接合される２つのテンプル（５，６）とを備える眼鏡フレーム（１）であって、２つのヒンジのうち少なくとも１つが請求項１〜７のいずれか一項に記載の伸縮式ヒンジ（７）である、眼鏡フレーム（１）。
【発明の詳細な説明】
【技術分野】
【０００１】
本発明は、眼鏡フレームに関するものである。
【背景技術】
【０００２】
眼鏡フレームは、一般に、２つの横ラグによって伸長される前面と、２つのヒンジの旋回軸を中心としてラグに接合される２つのテンプルとを備える。各ヒンジは、横ラグにしっかりと接続される前面要素と、対応するテンプルにしっかりと接続されるテンプル要素とを備え、これら２つの要素は前記ヒンジの旋回軸に接合される。
【０００３】
ヒンジの旋回軸は、前面に対して実質的に平行である。故に、対応するヒンジの旋回軸を中心として回転することによって、各テンプルは、それが結合される横ラグに対して連続して２つの位置を取り得る。開放位置として知られている第１の位置において、テンプルはラグの伸長部であり、前面の全面から実質的に直角に伸長し、それによりフレームの着用を可能にする。閉鎖位置として知られている第２の位置において、テンプルは前面に対して実質的に平行であり、前記前面にぴったりと付けられ、それにより眼鏡フレームの容積を低減する。
【０００４】
テンプルがその開放位置に対応する直角を超えて開放可能であるために、各ヒンジは伸縮式であってもよい。テンプルのこのような「過剰開放（ｏｖｅｒ−ｏｐｅｎｉｎｇ）」によって、フレームを鼻の上に置いたときの快適性が大きくなり、更に、フレームおよびテンプルが破損または変形してしまう危険性を防ぐ。
【０００５】
一般的に、このような伸縮式ヒンジは、一方ではヒンジの旋回軸に、他方では対応するテンプルに（またはテンプルが形成されるコアに）しっかりと接続されるスリーブに嵌合されるスライダーを備える。このスライダーは、ばね（一般には圧縮ばね）の作用に対しておよびその作用のもとでスリーブ内にスライドすることができ、また、前記スリーブ内に伸長する。故に、このばねにより、ヒンジの過剰開放を正確に可能にしつつ、テンプルを着用者の顔にぴったりと付けることができる。
【０００６】
このような伸縮式ヒンジの前面要素とテンプル要素とを共に締結するために、テンプル要素（より詳細には前面要素側に位置するスライダー端部）および前面要素の両方に、互いに組み合う締結具を装備することが既に知られている。これらの締結具は、互いに対して垂直に配置されるフックまたはハトメの形状、またはより一般的にはヒンジの旋回軸を中心として回転することができる任意の形状であってもよい。
【発明の概要】
【発明が解決しようとする課題】
【０００７】
【０００８】
【０００９】
本発明の目的は、上述のような伸縮式ヒンジの除去およびあり得る再装着を容易にするのを助けることである。
【課題を解決するための手段】
【００１０】
【発明の効果】
【００１１】
この目的のために、本発明によれば、フレームの前面の伸長部である横ラグにしっかりと接続されることを意図されかつ第１締結具を備える前面要素と、前記フレームの対応するテンプルにしっかりと接続されることを意図され、かつ、前面要素をテンプル要素に対して保持するように、第１締結具と中間締結具を介して連結されることができる第２締結具を備えるテンプル要素と、を備える眼鏡フレーム用伸縮式ヒンジは、前記第１締結具および前記第２締結具の両方と組み合うことができる中間締結具を更に備えるという点において優れている。
【００１２】
故に、本発明によれば、中間締結具を引き抜くことによってヒンジを容易に除去（再装着）することができ、例えば、この中間締結具を、最初に（前面要素の）第１締結具から引き抜き、次いで（テンプル要素の）第２締結具から引き抜く。このように、ばねに作用する応力は、テンプル要素および前面テンプル要素を分離している間中制限され、これにより、ヒンジを容易に除去（または再装着）することができる。
【００１３】
更に、中間締結具によって提供される設計の融通性により、必ずしもフックまたはハトメの形状ではない第１締結具を提供することが可能となり、これにより、ヒンジがしっかりと接続されることを意図した横ラグにより占有されるスペースを制限することができ、かつ、前記ラグを目立たないようにするのに役立ち得る。
【００１４】
本出願において、出願人は、テンプルを眼鏡フレームの前面に接続する装置を示すのに通常使用される用語「ヒンジ」を使用している。明らかに、何らかの種類の制限がこの用語にかからざるを得ない場合、本発明を完全に理解するために、用語「ヒンジ」に代わるのは用語「関節」である。
【００１５】
前記テンプルが過剰開放位置に達するように、横ラグと中心としてテンプルを旋回させるために、テンプル要素は、前面要素に接合され、かつ、ばねの作用に対しておよびそのもとでスライドするように嵌合されるスライダーを備えることができる。
【００１６】
中間締結具が少なくとも１つの穴を備える場合、その特定実施形態による第２締結具は、前記穴に挿入可能なフックの形状である。
【００１７】
更に、中間締結具が少なくとも１つの穴を備える場合、かつ、横ラグにより占有されるスペースを制限するために、第１締結具は、前記中間締結具の穴と重なり合い、かつ、保持要素の作用のもとで前記中間締結具に保持されることができる穴を備えていてもよい。
【００１８】
有利には、ねじ込むことによって互いに組み合うことができるように保持要素をねじ切りし（ｔｈｒｅａｄｅｄ）、かつ、中間締結具の穴を少なくとも部分的にねじ切りする（ｔａｐｐｅｄ）ことにより、中間締結具の穴に沿って締結具がスライドするのを防ぎ、故に、前記中間締結具によって第１および第２締結具が互いにより強固に保持される。
【００１９】
好ましくは、保持要素のねじ切り部分は、前記穴に対して非垂直に中間締結具の穴に導入可能であるように構成される。保持要素の導入はオフセットであるため、前面要素に接合されるスライダーがスライド式に嵌合される作用に対しておよびそのもとに、ヒンジの伸縮機能を遂行する手段（例えば、ばね）は予応力を受け得る。
【００２０】
好ましい実施形態によれば、中間締結具は、第１締結具および第２締結具それぞれと組み合い可能な２つの穴を備える。
【００２１】
最初に中間締結具の穴に挿入される締結具の挿入を容易にするために、中間締結具の穴は隣接し、かつ、連通していてもよい。
【００２２】
本発明による中間締結具は、穴を画定する２つの環状部分を備える一体形状であるのが有利であり、それにより、その製造および伸縮式ヒンジの除去および再装着中の取り扱いが容易になる。
【００２３】
本発明はまた、２つの横ラグによって伸長される前面と、２つのヒンジの旋回軸を中心として横ラグに接合される２つのテンプルとを備える眼鏡フレームに関し、これは２つのヒンジのうち少なくとも１つが上記実施形態のいずれかによる伸縮式ヒンジである点において優れている。
【００２４】
添付図面の図は、本発明の実施方法を明確に例証するものである。これらの図において、同一の参照番号は同様の技術要素を示す。
【図面の簡単な説明】
【００２５】
【図１】図１は、従来技術によるメガネフレームの斜視図である。
【図２】図２は、図１における眼鏡フレームのテンプルおよび伸縮式ヒンジの斜視図である。
【図３】図３は、本発明の特定実施形態による伸縮式ヒンジの斜視図である。
【図４】図４は、図３における伸縮式ヒンジの分解斜視図である。
【図５】図５は、図３における伸縮式ヒンジの長手方向断面図である。
【図６】図６は、本発明の特定実施形態による中間締結具の斜視図である。
【図７】図７は、図６における中間締結具のプロファイルである。
【図８】図８は、本発明による第１締結具を備えた前面要素の斜視図である。
【図９】図９は、図８における前面要素のプロファイルである。
【００２６】
図１に概略的に示される眼鏡フレーム１は、従来技術構成の例であり、左横ラグ３および右横ラグ４によって両側において横方向に伸長される光学レンズをおおむね受容するための前面２を備える。フレーム１はまた、左ヒンジ７の旋回軸を中心として左横ラグ３に接合される左テンプル５と、右ヒンジ８の旋回軸を中心として右横ラグ４に接合される右テンプル６とを備える。
【００２７】
左テンプル５は２つの端部、すなわち、着用者の顔に適合するよう成形される自由後端部５Ｂと、前記左テンプル５がラグ３に接合されることを意図した前関節端部５Ａとを含む。右テンプル６も同様に２つの端部、すなわち、左テンプル５の後端部５Ｂに相補的な、着用者の顔に適合するよう成形される自由後端部６Ｂと、前記右テンプル６がラグ４に接合されることを意図した前関節端部６Ａとを含む。
【００２８】
左ヒンジ７および右ヒンジ８は、同様の形状および組成の伸縮式ヒンジである。故に、以下では、左ヒンジ７のみを説明する。
【００２９】
左ヒンジ７の旋回軸は、左横ラグ３および左テンプル５に対して実質的に垂直である。このように、伸縮式ヒンジ７の旋回軸を中心として回転することによって、テンプル５は、一方では、開放位置（テンプル５が、それと結合される横ラグ３の伸長部であり、前面２の全面から実質的に直角に伸長する）、または、他方では、閉鎖位置（テンプル５が、前面２に対して実質的に平行であり、前記面にぴったりと付けられる）を取り得る。図１に示されるサンプルフレームにおいて、左テンプル５は開放位置にあり、一方、右テンプル６は閉鎖位置にある。２つのテンプルが開放位置にあるとき、フレーム１はその着用者の頭部を包囲することによって着用されるようにセットアップされる。２つのテンプルが閉鎖位置にあるとき、フレーム１はよりコンパクトである。
【００３０】
図２は、左テンプル５に接続される左ヒンジ７をより詳細に示している。ヒンジ７は、右横ラグにしっかりと接続されるよう意図した前面要素１０と、右テンプル５にしっかりと接続されるテンプル要素２０とを備える。故に、右ヒンジ７は、右横ラグの右テンプル５の前端部５Ａへの連結を可能にする。
【００３１】
ヒンジ７が伸縮機能を遂行するために、テンプル要素２０は、スリーブ２２にスライド式に嵌合されるスライダーを備えている。このスライダー２３（図３により詳細に示されており、この図には図２のスリーブ２２は示されていない）は、旋回軸（図示せず）を中心として前面要素１０に接合される。スライダー２３は、テンプル５の端部５Ａ側に配置されるばね２４の作用に対しておよびそのもとにスリーブ２２内部に移動することができる。この圧縮ばね２４により、テンプル５は横ラグ３にぴったりと付けられ、一方、前記テンプル５は一定の距離で９０°を超える角度で前面２の全面から離れることができる。
【００３２】
別の実施形態によれば、例えば文献ＦＲ１００２９０８に教示されるように、ばね２４は、スリーブ２２の拡大部分において、テンプル５の端部５Ｂ（開放端部として知られている）に配置され、それにより、このばね２４が離れ、ヒンジ７の重量がテンプル５全体にわたってより良好に分配されて、フレーム１の着用者の快適性を向上させる。
【００３３】
全ての場合、テンプル５の開放位置から始まり、スライダー２３は、テンプル５の自由端部５Ｂの方向にヒンジ７に向かってスリーブ２２内に移動させられる。移動させられると、スライダー２３はばね２４の圧縮を引き起こし、テンプルをその開放位置に対応するテンプル５の角度に対して一方向または他の方向に配向させる。テンプルが閉じたまたは開いた状態で静止しているとき、スライダー２２が前記ばね２４の作用のもとに他の方向へスライドすると、ばね２４は解放される。
【００３４】
この構成により、ヒンジ７は、上述の開放位置および閉鎖位置に加えて、「過剰開放」位置として知られている位置を取ることができ、この位置において、テンプル５は、前面２の全面に対して、実質的に直角（開放位置に対応する角度）を超える角度で伸長する。
【００３５】
本発明によれば、前面要素１０は、穴１２が上に作成される一体部１１を備え、前記穴は保持要素４０と組み合って第１締結具として作用する。
【００３６】
更に、テンプル要素２０は、それ自体が第２締結具として作用するフック２５（例えば、スライダー２３の伸長部を形成する）からなり、このフック２５は、中間締結具３０を介して前述の第１締結具と組み合うことができる。
【００３７】
更に、前面要素１０側に位置する端部２１Ｃがテンプル要素２０側に位置する一体部１１の端部１１Ｃに対して相補的な形状を有する一体部２１をこのテンプル要素２０が備えていることに気付くであろう。
【００３８】
中間締結具３０は、図６および図７により詳細に示されている。中間締結具３０は、まさに一体部３１に形成され、おおむね馬蹄型である。この一体部３１は、第１穴３２を画定する第１環状部分３１Ａと、第２穴３４を画定する第２環状部分３１Ｂとを備える。環状部分３１Ａおよび３１Ｂは、一方では、穴３２および３４が第１開口部３３により隣接して連通し、他方では、第２穴３４が第２開口部３５により外側に開いているように配置される。
【００３９】
保持要素４０に関しては、前面要素１０の穴１２および中間締結具３０の第２穴３４の両方に挿入するのに適する長さおよび直径を有するピンの形状をなす。
【００４０】
更に、前面要素１０の一体部１１（図８および図９により詳細に示されている）は、第１締結具が配置される第１部分１１Ａと、横ラグ３側に位置する第２部分１１Ｂとを備える。穴１２の軸に実質的に直行する方向に、一体部１１は、中間締結具３０の２つの分岐部３１Ｄおよび３１Ｅが通るための２つの穴１１Ｄおよび１１Ｅを備えており、前面要素１０およびテンプル要素２０が接合されるときにフック２５の端部が配置され得る空洞１１Ｆを伴う。
【００４１】
図４で分かるように、フック２５は、中間締結具３０の第１穴３２に容易に挿入され、第２開口部３５、第２穴３２および第１開口部３３を連続して通過することができる。次いで、フックは、一体部３１の閉鎖端部３１Ｃにより穴３２内に固定される。
【００４２】
その後、フック２５と組み合わない中間締結具３０の部分は、２つの分岐部３１Ｄおよび３１Ｅにて、前面要素１０の２つの穴１１Ｄおよび１１Ｅ内部に挿入され、それにより前記フック２５が空洞１１Ｆに到達することができる。この位置において、中間締結具３０の第２穴３４は、前面要素の第１締結具における穴１２と重なり合う。
【００４３】
よって、前面要素１０およびテンプル要素２０は支え合って互いに締結されるので、保持要素４０を、まず穴１２、次いで第２穴３４を通して挿入することができる。この位置において、保持要素４０は、中間締結具３０と第１締結具（穴１２および保持要素４０によって形成される）との間の相対位置を維持する。
【００４４】
したがって、中間締結具３０は、一方では第１締結具（穴１２および保持要素４０）に接触して保持され、他方では、第２締結具（フック２５）に接触して保持される。その結果、第１締結具および第２締結具それぞれと組み合うことができるその２つの穴により、中間締結具３０が、テンプル要素２０に接触して前面要素１０を保持することを可能にする。
【００４５】
更に、伸縮式ヒンジ７を適合するための上述の手順が、特にばね２４に作用する応力を制限する中間部品として中間締結具３が追加されるために、特に容易であることが判明する場合、前記ヒンジの除去は、まさしく同様に簡単である。実際、この伸縮式ヒンジ７を除去するには、保持要素４０を穴１２から引き抜き、次いで中間締結具３０を穴１１Ｄおよび１１Ｅから引き抜き、次いで、前記中間締結具３０をフック２５から引き抜くだけでよく、ここでもばね２４に作用する応力が制限される。
【００４６】
保持要素４０を形成するピンをねじ切りし（ｔｈｒｅａｄｅｄ）、一方で中間締結具３０の穴３４も相補的にねじ切りする（ｔａｐｐｅｄ）ことによって、保持要素４０および中間締結具３０の穴３４はねじ込みにより互いに組み合って、それらの相対位置を固定するという利点を付与することに気付くであろう。この場合、ピン４０の本体４１に位置する前記ピンのねじ切り部分は、この孔３４に対して非垂直に中間締結具３０の前記第２穴３４に導入され、それにより、伸縮式ヒンジ７が適合されるとすぐにばね２４に予応力がかかるように構成されていてもよい。
【００４７】
全ての場合、保持要素４０は第２穴３４にねじ込まれる必要があるので、前記保持要素４０は、前記第２穴３４それ自体によって固定される。この手段４０を引き抜く唯一の方法は、自発的にスクリュードライバーを使用して前記手段をねじ戻すことであり、ねじ込み力は、前記穴３４を緩めるべく、ピン４０の本体４１上の第２穴３４によって発揮される圧力を上回る必要がある。
【００４８】
実質的に円筒形であるピンの本体４１が円錐部４２で終端してもよいことにも気付くであろう。更に、ピン４０の本体４１は、より詳細には、倒立円錐状筒体の形状であってもよく、これは基部の直径が、ねじ切り部分と接触している反対端部の直径よりも大きいことを意味する。よって、ピン４０が完全にねじ込まれると、第２穴３４は、本体４１の円錐性質のために前記ピン４０の基部４２と接触し、前記ピン４０をねじ戻そうとする動きに対して反推力を発揮する。故に、この場合、第２穴３４が適所にくると、保持要素４０（ピン）を紛失する危険性がもはやなくなるため、ピン４０を完全にねじ込む必要がないことが理解される。倒立円錐筒体としての本体４１の形状が必ずしも強制ではないことが分かるであろう。
【００４９】
中間締結具３０の第２穴３４の縁部を斜めに機械加工することができ、それにより、ピン４０の本体４１が、前面要素１０におけるそのハウジングの底部に向かって前記中間締結具３０を動かし、それによりここでもテンプル側関節のばね２４を延伸させることによって前記穴３４に入ることができることにも気付くであろう。
【００５０】
図６および図７における中間締結馬蹄形状３０は、２つの穴３２および３４を有し、これらの穴は開放している、つまり、互いから切り離されていない。フック２５およびピン４０を受容するためのこのような閉鎖した穴を有する馬蹄形状は実現可能であろう。このような実施形態は、作成するのが非常に容易であると共に、非常に効果的である。この場合、ねじ切りはピン４０の頭部には形成されず、本体４１の頭部に隣接する部分、円錐体の頂部（１つある場合）に形成されることに気付くであろう。
【図１】
0006263523.tif 000002
【図２】
0006263523.tif 000003
【図３】
0006263523.tif 000004
【図４】
0006263523.tif 000005
【図５】
0006263523.tif 000006
【図６】
0006263523.tif 000007
【図７】
0006263523.tif 000008
【図８】
0006263523.tif 000009
【図９】
0006263523.tif 000010